【手続補正書】
【提出日】平成26年1月23日(2014.1.23)
【手続補正１】
【補正対象書類名】特許請求の範囲
【補正対象項目名】全文
【補正方法】変更
【補正の内容】
【特許請求の範囲】
【請求項１】
無線個体識別（ＲＦＩＤ）タグを読み取る方法であって、
第１公称周波数は第２公称周波数の少なくとも２倍であり、ベースライン信号と、前記第１および第２公称周波数に関連づけられた少なくとも二つのＲＦＩＤ帯域から選択された周波数をもつキャリア信号とを含む質問信号のデジタル表現をプロセッサにおいて生成するステップと、
アンテナを用いて前記質問信号をブロードキャストするステップと、
前記アンテナ上の電圧の変化を測定することにより前記ＲＦＩＤタグからの応答を検出するステップと、
前記ＲＦＩＤタグを読み取るステップと、を含む方法。
【請求項２】
デジタルアナログコンバータにおいて、前記質問信号の前記デジタル表現をアナログ信号に変換するステップをさらに含む、請求項１に記載の方法。
【請求項３】
前記質問信号をブロードキャストするステップは、前記アナログ信号を前記アンテナに供給することを含む、請求項２に記載の方法。
【請求項４】
アナログデジタルコンバータにおいて、前記アンテナ上の前記電圧における測定された変化をデジタル信号に変換するステップをさらに含む、請求項２に記載の方法。
【請求項５】
前記ターゲット周波数は、１２５ｋＨｚ、１３．５６ＭＨｚ、９１５ＭＨｚ、および２．４ＧＨｚの周波数に関連づけられたＲＦＩＤ帯域から選択される、請求項１に記載の方法。
【請求項６】
前記ＲＦＩＤタグを読み取るステップは、
前記プロセッサを用いて、前記デジタル信号を受信するステップと、
前記プロセッサを用いて、キャリア周波数を用いて前記デジタル信号を変調するステップと、を含み、
前記ＲＦＩＤタグを読み取るステップは、前記変調されたデジタル信号を復号することを含む、請求項４に記載の方法。
【請求項７】
アンテナと、
前記アンテナに接続された出力と、入力とをもつデジタルアナログコンバータと、
前記アンテナに接続された入力と、出力とをもつアナログデジタルコンバータと、
前記デジタルアナログコンバータの前記入力に接続された出力と、前記アナログデジタルコンバータの前記出力に接続された入力とをもつプロセッサと、を備える無線個体識別（ＲＦＩＤ）デバイスであって、
前記プロセッサは、
第１公称周波数は第２公称周波数の少なくとも２倍であり、前記第１および第２公称周波数に関連づけられた少なくとも二つのＲＦＩＤ帯域からキャリア周波数信号が選択され、ベースバンド信号によって変調された前記キャリア周波数信号を有する変調された質問信号のデジタル表現を含む第１デジタル信号を前記出力上で供給し、
前記入力上の第２デジタル信号を受信し、
前記第２デジタル信号を復調して前記キャリア周波数信号を除去し、
前記復調された第２デジタル信号を復号するよう構成される、無線個体識別デバイス。
【請求項８】
前記プロセッサは、変調された質問信号の複数のデジタル表現を格納するよう構成されたメモリを含み、
前記プロセッサはさらに、複数の変調された質問信号のデジタル表現の一つを取得し、前記取得された変調された質問信号のデジタル表現の一つを前記第１デジタル信号として供給するよう構成される、請求項７に記載のデバイス。
【請求項９】
アンテナと、
前記アンテナに接続された出力と、第１入力と、第２入力とをもつ変調器と、
前記アンテナに接続された第１入力と、第２入力と、出力とをもつ復調器と、
前記変調器の前記第１入力と前記復調器の前記第２入力とに接続された出力を有するローカル発振器であって、第１公称周波数は第２公称周波数の少なくとも２倍であり、前記第１および第２公称周波数に関連づけられた少なくとも二つのＲＦＩＤ帯域から選択されたターゲット周波数においてアナログキャリア信号を供給し、さらに前記ターゲット周波数を示す信号を受けるように構成されたローカル発振器と、
前記変調器の前記第２入力に接続された出力と、入力とをもつデジタルアナログコンバータと、
前記復調器の前記出力に接続された入力と、出力とをもつアナログデジタルコンバータと、
前記発振器の前記入力に接続された第１出力、前記デジタルアナログコンバータの前記入力に接続された第２出力、前記アナログデジタルコンバータの前記出力に接続された入力とをもつプロセッサと、を備え、
前記プロセッサは、
前記第１出力上で前記ターゲット周波数を示す前記信号を供給し、
前記第２出力上でベースバンド信号を供給し、
前記入力上でデジタル信号を受信し、
前記デジタル信号を復号するよう構成される、無線個体識別（ＲＦＩＤ）デバイス。
【請求項１０】
前記ローカル発振器は位相ロックループ（ＰＬＬ）合成器を含む、請求項９に記載のデバイス。
【請求項１１】
前記変調器は前記出力上でアナログ変調信号を供給し、前記アナログ変調信号は直交符号化信号である、請求項９に記載のデバイス。
【請求項１２】
前記変調器は前記出力上でアナログ変調信号を供給し、前記アナログ変調信号は前記キャリア信号の周波数変調を含む、請求項９に記載のデバイス。
【請求項１３】
前記変調器は前記出力上でアナログ変調信号を供給し、前記アナログ変調信号は前記キャリア信号の振幅変調を含む、請求項９に記載のデバイス。
【請求項１４】
前記ターゲット周波数は、１２５ｋＨｚ、１３．５６ＭＨｚ、９１５ＭＨｚ、および２．４ＧＨｚの周波数に関連づけられたＲＦＩＤ帯域から選択される、請求項９に記載のデバイス。
【請求項１５】
前記ターゲット周波数は、１２５ｋＨｚ、１３．５６ＭＨｚ、９１５ＭＨｚ、および２．４ＧＨｚの公称周波数に関連づけられたＲＦＩＤ帯域から選択される、請求項７に記載のデバイス。
【請求項１６】
前記プロセッサは、複数タイプのＲＦＩＤタグにそれぞれ関連づけられた複数組の情報を格納するよう構成されたメモリを含み、各組は、それぞれの符号化スキームとＲＦＩＤ周波数帯域を含む、請求項１５に記載のデバイス。
【請求項１７】
前記メモリは、異なるＲＦＩＤ帯域を有する第１および第２ＲＦＩＤタグに関連づけられた第１および第２組の情報を含む、請求項１６に記載のデバイス。
【請求項１８】
前記ＲＦＩＤ帯域は１２５ｋＨｚ帯域、１３．５６ＭＨｚ帯域、９１５ＭＨｚ帯域、および２．４ＧＨｚ帯域を含む、請求項１７に記載のデバイス。
【請求項１９】
前記アナログデジタルコンバータの前記入力は、前記アンテナ上で電圧を受け取り、前記電圧における変化は、受動的ＲＦＩＤタグから反射されてくる信号を表す、請求項７に記載のデバイス。
【請求項２０】
前記アナログデジタルコンバータの前記入力は、前記アンテナ上で電圧を受け取り、前記電圧における変化は、能動的ＲＦＩＤタグによって生成された信号を表す、請求項７に記載のデバイス。
【請求項２１】
前記アンテナは一組のトランシーバアンテナを含み、前記一組のトランシーバアンテナのそれぞれは異なるＲＦＩＤ帯域の信号を発信および受信するよう構成される、請求項７に記載のデバイス。
【請求項２２】
前記アンテナは、前記複数のＲＦＩＤ帯域のうちのひとつをカバーする基本周波数とひとつ以上の残りのＲＦＩＤ帯域をカバーするひとつ以上の調和周波数とを有する単一のトランシーバアンテナを含む、請求項７に記載のデバイス。
【請求項２３】
無線個体識別（ＲＦＩＤ）タグを読み取る方法であって、
第１公称周波数は第２公称周波数の少なくとも２倍であり、ベースライン信号と、前記第１および第２公称周波数に関連づけられた少なくとも二つのＲＦＩＤ帯域から選択されたターゲット周波数をもつキャリア信号とを含む質問信号のデジタル表現をプロセッサにおいて生成するステップと、
デジタルアナログコンバータにおいて、前記質問信号の前記デジタル表現をアナログ信号に変換するステップと、
少なくとも二つのアンテナのそれぞれは、前記少なくとも二つのＲＦＩＤ帯域の異なる一つに関連づけられており、前記少なくとも二つのアンテナの選択された一つに前記アナログ信号を供給するステップと、
前記選択されたアンテナを用いて前記アナログ信号をブロードキャストするステップと、  前記アンテナ上の電圧の変化を測定することにより前記ＲＦＩＤタグからの応答を検出するステップと、
前記ＲＦＩＤタグを読み取るステップと、を含む方法。
【請求項２４】
第１公称周波数は第２公称周波数の少なくとも２倍であり、前記第１および第２公称周波数に関連づけられた少なくとも二つのＲＦＩＤ帯域にそれぞれが関連づけられた少なくとも二つのアンテナと、
出力と入力とをもつデジタルアナログコンバータと、
入力と出力とをもつアナログデジタルコンバータと、
前記デジタルアナログコンバータの出力と前記アナログデジタルコンバータの入力とに結合され、前記少なくとも二つのアンテナの一つに選択的に結合されるアンテナ選択スイッチと、
前記アンテナ選択に機能的に結合し、前記デジタルアナログコンバータの前記入力に接続された出力、前記アナログデジタルコンバータの前記出力に接続された入力とをもつプロセッサと、を備え、
前記プロセッサは、
前記少なくとも二つのアンテナの一つを選択するように前記アンテナ選択スイッチを構成し、
キャリア周波数信号は、前記少なくとも二つのＲＦＩＤ帯域から選択されたターゲット周波数であり、ベースバンド信号によって変調された前記キャリア周波数信号を有する変調された質問信号のデジタル表現を含む第１デジタル信号を前記出力上で供給し、
前記入力上で第２デジタル信号を受信し、
前記第２デジタル信号を復調して前記キャリア周波数信号を除去し、
前記復調された第２デジタル信号を復号するよう構成される、無線個体識別（ＲＦＩＤ）デバイス。
【請求項２５】
第１公称周波数は第２公称周波数の少なくとも２倍であり、前記第１および第２公称周波数に関連づけられた少なくとも二つのＲＦＩＤ帯域にそれぞれが関連づけられた少なくとも二つのアンテナと、
出力と第１入力と第２入力とをもつ変調器と、
第１入力と第２入力と出力とをもつ復調器と、
前記変調器の出力と前記復調器の第１入力とに結合され、前記少なくとも二つのアンテナの一つに選択的に結合されるアンテナ選択スイッチと、
前記変調器の前記第１入力と前記復調器の前記第２入力とに接続された出力を有するローカル発振器であって、前記少なくとも二つのＲＦＩＤ帯域から選択された動作周波数においてアナログキャリア信号を供給し、前記動作周波数を示す信号を受けるように構成されたローカル発振器と、
前記変調器の前記第２入力に接続された出力と、入力とをもつデジタルアナログコンバータと、
前記復調器の前記出力に接続された入力と、出力とをもつアナログデジタルコンバータと、
前記アンテナ選択に機能的に結合し、前記発振器の前記入力に接続された第１出力と、前記デジタルアナログコンバータの前記入力に接続された第２出力と、前記アナログデジタルコンバータの前記出力に接続された入力とをもつプロセッサと、を備え、
前記プロセッサは、
前記第１出力上で前記動作周波数を示す前記信号を供給し、
前記動作周波数に関連づけられた前記少なくとも二つのアンテナの一つを選択するように前記アンテナ選択スイッチを構成し、
前記第２出力上でベースバンド信号を供給し、
前記入力上でデジタル信号を受信し、
前記デジタル信号を復号するよう構成される、無線個体識別（ＲＦＩＤ）デバイス。